(57)【特許請求の範囲】
【請求項１】
制御ユニット（２）と、駆動ユニット（３）と、加圧液体を含むように配置された加圧媒体容器（４）と、薬物を含むように配置された薬物容器（５）と、放出ノズル（６）とを備え、ここで、駆動ユニット（３）は、制御ユニット（２）によって制御され電圧が加えられたとき加圧液体中に圧力勾配を生成し、それによって圧力を薬物容器（５）に伝え、薬物を薬物容器（５）から放出ノズル（６）を通って少なくとも部分的に変位させるように配置され、駆動ユニット（３）は、電気浸透アクタ（３）として配置され、そしてここで可撓性の膜（７）が薬物と加圧液体を分離するために薬物容器（５）内に配置される、薬物送達デバイス（１）。
【請求項２】
電気浸透アクタ（３）は、少なくとも１本の毛細管を含むソリッドステート本体を備え、該毛細管内の加圧液体の表面に平行に電場がかかるように配置される、請求項１に記載の薬物送達デバイス（１）。
【請求項３】
電気浸透アクタ（３）は、横断する細孔を含む膜を備え、該細孔内の加圧液体の表面に平行に電場がかかるように配置される、請求項１に記載の薬物送達デバイス（１）。
【請求項４】
加圧液体は、水である、請求項１〜３のいずれか１項に記載の薬物送達デバイス（１）。
【請求項５】
加圧液体は、蒸留水である、請求項４に記載の薬物送達デバイス（１）。
【請求項６】
加圧液体は、液体炭化水素である、請求項１〜３のいずれか１項に記載の薬物送達デバイス（１）。
【請求項７】
液体炭化水素は、アルコールである、請求項６に記載の薬物送達デバイス（１）。
【請求項８】
制御ユニット（２）、電気浸透アクタ（３）および加圧媒体容器（４）は、再利用可能モジュール（１．１）内に配置される、請求項１〜７のいずれか１項に記載の薬物送達デ
バイス（１）。
【請求項９】
制御ユニット（２）および電気浸透アクタ（３）は、再利用可能モジュール（１．１）内に配置される、請求項１〜７のいずれか１項に記載の薬物送達デバイス（１）。
【請求項１０】
制御ユニット（２）は、再利用可能モジュール（１．１）内に配置され、電気浸透アクタ（３）は、加圧媒体容器（４）内に電気浸透膜として配置され、加圧媒体容器（４）および薬物容器（５）は、共通容器（４、５）内に可撓性の膜（７）によって分離されるコンパートメントとして配置される、請求項３〜７のいずれか１項に記載の薬物送達デバイス（１）。
【請求項１１】
制御ユニット（２）、電気浸透アクタ（３）および加圧媒体容器（４）は、再利用可能モジュール（１．１）内に配置され、電気浸透アクタ（３）は、加圧媒体容器（４）内に電気浸透膜として配置される、請求項３〜７のいずれか１項に記載の薬物送達デバイス（１）。
【請求項１２】
制御ユニット（２）は、ユーザインターフェースを備える、請求項１〜１１のいずれか１項に記載の薬物送達デバイス（１）。
【請求項１３】
放出ノズルは、注射針またはジェットノズルとして配置される、請求項１〜１２のいずれか１項に記載の薬物送達デバイス（１）。
【請求項１４】
薬物容器（５）と、加圧媒体容器（４）と、電気浸透アクタ（３）とを備え、ここで、薬物容器（５）は、放出ノズル（６）に取り付けられるように構成され、電気浸透アクタ（３）は、薬物を薬物容器（５）から放出ノズル（６）を通って排出するように加圧液体を加圧媒体容器（４）から変位させるように構成され、そしてここで可撓性の膜（７）が薬物と加圧液体を分離するために薬物容器（５）内に配置される、薬物送達デバイスの使い捨てユニット。
【発明の詳細な説明】
【技術分野】
【０００１】
本発明は、薬物送達デバイスに関する。
【背景技術】
【０００２】
体内に様々な薬剤を注射しなければならない。本発明は、特に、経口投与すると失活する（ｄｅａｃｔｉｖａｔｅｄ）、またはそれらの効能が著しく低下する薬剤、たとえば、タンパク質（インスリン、成長ホルモン、インターフェロンなど）、炭水化物（たとえば、ヘパリン）、抗体および大半のワクチンに適用される。そのような薬剤は、主に、シリンジ、薬剤ペンまたは薬剤ポンプによって注射される。
【発明の概要】
【発明が解決しようとする課題】
【０００３】
本発明の目的は、改善された薬物送達デバイスを提供することである。
【課題を解決するための手段】
【０００４】
この目的は、請求項１による薬物送達デバイスによって達成される。
【０００５】
本発明の好ましい実施形態は、従属請求項に示されている。
【０００６】
本発明によれば、薬物送達デバイスは、制御ユニットと、駆動ユニットと、加圧液体を含むように配置された加圧媒体容器と、薬物を含むように配置された薬物容器と、放出ノズルとを備える。駆動ユニットは、制御ユニットによって制御され電圧が加えられたとき加圧液体中に圧力勾配を生成し、それによって圧力を薬物容器に伝え、薬物を薬物容器から放出ノズルを通って少なくとも部分的に変位させるように配置される。駆動ユニットは、電気浸透アクタ（ｅｌｅｃｔｒｏ−ｏｓｍｏｔｉｃ  ａｃｔｏｒ）として配置される。
【０００７】
電気浸透は、電場による表面に平行な液体の動きである。この現象は、液体の内部は電気的に中性である一方でその表面には電気化学的二重層ができることがもとになっている。二重層の厚さは、液体中に溶けているイオンによって決まる。したがって、液体の表面は電気的に中性ではない。電場が表面に平行にかけられると、液体は力を受け、それによって流れが形成される。この効果は、導電体が表面に平行な電場を短絡させるように、電気浸透アクタの電気的絶縁表面だけに働く。
【０００８】
従来のメカニカルポンプによって駆動される薬物送達デバイスとは対照的に、本発明による薬物送達デバイスは、空間要件を削減することができる。さらに、本発明による薬物送達デバイスは、特に部品の数が少なく、取り扱いの改善をもたらす。
【０００９】
例示的な一実施形態では、電気浸透アクタは、少なくとも１本の毛細管を含むソリッドステート本体（ｓｏｌｉｄ  ｓｔａｔｅ  ｂｏｄｙ）を備えることができ、毛細管内の加圧液体の表面に本質的に平行に電場がかかるように配置される。
【００１０】
他の例示的な実施形態では、電気浸透アクタは、横断する細孔を含む膜を備えることができ、細孔内の加圧液体の表面に本質的に平行に電場がかかるように配置される。膜は可撓性であってよい。
【００１１】
膜は、その厚さに沿って寸法が変わる細孔を含む膜として形作られる伝導手段を含む織物であってよく、したがって、細孔の壁部は、滑らかで、前記織物に垂直に印加される電場に対して傾斜している。織物は、電極と、電気信号が印加され得る多孔質伝導層と、膜と電極の間においてそれらの間の直接的な接触を防ぐ非伝導性の多孔質層とを備えることができる。吸収層が、乾燥側の電極上に配置されてもよい。あるいは、吸収層は省略されてもよく、電極の外側に他の層が加えられてもよい。
【００１２】
また、膜は、円筒形の直線的な細孔を含む膜として形作られる伝導手段を含む織物であってもよい。非伝導層は、同じ物理的な膜の一部を構成してもよい。
【００１３】
他の例示的な一実施形態では、加圧液体は水であり、特に蒸留水である。
【００１４】
他の例示的な実施形態では、加圧液体は、アルコールのような液体炭化水素である。
【００１５】
薬物送達デバイスは、再利用可能ユニットおよび使い捨てユニットを備えることができる。再利用可能な部材は、少なくとも制御ユニットを備える。
【００１６】
例示的な一実施形態では、薬物送達デバイスの使い捨てユニットは、薬物容器と、加圧媒体容器と、電気浸透アクタとを備える。薬物容器は、放出ノズルに取り付けられるように構成される。電気浸透アクタは、薬物容器から放出ノズルを通して薬物を排出するように加圧媒体容器から加圧液体を変位させるように構成される。
【００１７】
例示的な一実施形態では、可撓性の膜が薬物と加圧液体を分離するために薬物容器内に配置され得る。
【００１８】
他の例示的な実施形態では、制御ユニット、電気浸透アクタおよび加圧媒体容器は、再利用可能モジュール内に配置され、したがって、使い捨てのものは、薬物容器と放出ノズルだけである。したがって、廃棄物の量およびエコロジカルフットプリントが減少する。
【００１９】
さらに他の例示的な実施形態では、制御ユニットおよび電気浸透アクタは、再利用可能モジュール内に配置され、したがって、使い捨てのものは、薬物容器、放出ノズルおよび加圧媒体容器だけである。したがって、廃棄物の量およびエコロジカルフットプリントが減少する。
【００２０】
さらに他の例示的な実施形態では、制御ユニットは再利用可能モジュール内に配置され、電気浸透アクタは加圧媒体容器内に電気浸透膜として配置され、加圧媒体容器および薬物容器は、共通容器内に可撓性の膜によって分離されるコンパートメントとして配置される。
【００２１】
さらに他の例示的な実施形態では、制御ユニット、電気浸透アクタおよび加圧媒体容器は、再利用可能モジュール内に配置され、電気浸透アクタは、加圧媒体容器内に電気浸透膜として配置され、したがって、使い捨てのものは、薬物容器と放出ノズルだけである。したがって、廃棄物の量およびエコロジカルフットプリントが減少する。
【００２２】
例示的な一実施形態では、制御ユニットは、用量および流量などの制御を可能にし、かつ／または使用者のコンプライアンスをモニタするようなユーザインターフェースを備える。
【００２３】
例示的な一実施形態では、放出ノズルは、注射針として配置される。
【００２４】
他の例示的な実施形態では、放出ノズルは、ジェットノズルとして配置される。
【００２５】
本明細書で使用する用語「薬物」または「薬剤」は、少なくとも１つの薬学的に活性な化合物を含む医薬製剤を意味し、
ここで、一実施形態において、薬学的に活性な化合物は、最大１５００Ｄａまでの分子量を有し、および／または、ペプチド、タンパク質、多糖類、ワクチン、ＤＮＡ、ＲＮＡ、酵素、抗体もしくはそのフラグメント、ホルモンもしくはオリゴヌクレオチド、または上述の薬学的に活性な化合物の混合物であり、
ここで、さらなる実施形態において、薬学的に活性な化合物は、糖尿病、または糖尿病性網膜症などの糖尿病関連の合併症、深部静脈血栓塞栓症または肺血栓塞栓症などの血栓塞栓症、急性冠症候群（ＡＣＳ）、狭心症、心筋梗塞、がん、黄斑変性症、炎症、枯草熱、アテローム性動脈硬化症および／または関節リウマチの処置および／または予防に有用であり、
ここで、さらなる実施形態において、薬学的に活性な化合物は、糖尿病または糖尿病性網膜症などの糖尿病に関連する合併症の処置および／または予防のための少なくとも１つのペプチドを含み、
ここで、さらなる実施形態において、薬学的に活性な化合物は、少なくとも１つのヒトインスリンもしくはヒトインスリン類似体もしくは誘導体、グルカゴン様ペプチド（ＧＬＰ−１）もしくはその類似体もしくは誘導体、またはエキセンジン−３もしくはエキセンジン−４もしくはエキセンジン−３もしくはエキセンジン−４の類似体もしくは誘導体を含む。
【００２６】
インスリン類似体は、たとえば、Ｇｌｙ（Ａ２１），Ａｒｇ（Ｂ３１），Ａｒｇ（Ｂ３２）ヒトインスリン；Ｌｙｓ（Ｂ３），Ｇｌｕ（Ｂ２９）ヒトインスリン；Ｌｙｓ（Ｂ２８），Ｐｒｏ（Ｂ２９）ヒトインスリン；Ａｓｐ（Ｂ２８）ヒトインスリン；Ｂ２８位におけるプロリンがＡｓｐ、Ｌｙｓ、Ｌｅｕ、Ｖａｌ、またはＡｌａで置き換えられており、Ｂ２９位において、ＬｙｓがＰｒｏで置き換えられていてもよいヒトインスリン；Ａｌａ（Ｂ２６）ヒトインスリン；Ｄｅｓ（Ｂ２８−Ｂ３０）ヒトインスリン；Ｄｅｓ（Ｂ２７）ヒトインスリン、およびＤｅｓ（Ｂ３０）ヒトインスリンである。
【００２７】
インスリン誘導体は、たとえば、Ｂ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイルヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、およびＢ２９−Ｎ−（ω−カルボキシヘプタデカノイル）ヒトインスリンである。
【００２８】
エキセンジン−４は、たとえば、Ｈ−Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｐｒｏ−Ｓｅｒ−ＮＨ２配列のペプチドであるエキセンジン−４（１−３９）を意味する。
【００２９】
エキセンジン−４誘導体は、たとえば、以下のリストの化合物：
Ｈ−（Ｌｙｓ）４−ｄｅｓＰｒｏ３６，ｄｅｓＰｒｏ３７エキセンジン−４（１−３９）−ＮＨ２、
Ｈ−（Ｌｙｓ）５−ｄｅｓＰｒｏ３６，ｄｅｓＰｒｏ３７エキセンジン−４（１−３９）−ＮＨ２、
ｄｅｓＰｒｏ３６エキセンジン−４（１−３９）、
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４Ｔｒｐ（Ｏ２）２５，ＩｓｏＡｓｐ２８］エキセンジン−４（１−３９）；または
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４，Ｔｒｐ（Ｏ２）２５，ＩｓｏＡｓｐ２８］エキセンジン−４（１−３９）、
（ここで、基−Ｌｙｓ６−ＮＨ２が、エキセンジン−４誘導体のＣ−末端に結合していてもよい）；
【００３０】
または、以下の配列のエキセンジン−４誘導体：
ｄｅｓＰｒｏ３６エキセンジン−４（１−３９）−Ｌｙｓ６−ＮＨ２（ＡＶＥ００１０）、
Ｈ−（Ｌｙｓ）６−ｄｅｓＰｒｏ３６［Ａｓｐ２８］エキセンジン−４（１−３９）−Ｌｙｓ６−ＮＨ２、
ｄｅｓＡｓｐ２８Ｐｒｏ３６，Ｐｒｏ３７，Ｐｒｏ３８エキセンジン−４（１−３９）−ＮＨ２、
Ｈ−（Ｌｙｓ）６−ｄｅｓＰｒｏ３６，Ｐｒｏ３８［Ａｓｐ２８］エキセンジン−４（１−３９）−ＮＨ２、
Ｈ−Ａｓｎ−（Ｇｌｕ）５ｄｅｓＰｒｏ３６，Ｐｒｏ３７，Ｐｒｏ３８［Ａｓｐ２８］エキセンジン−４（１−３９）−ＮＨ２、
ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６［Ｔｒｐ（Ｏ２）２５，Ａｓｐ２８］エキセンジン−４（１−３９）−Ｌｙｓ６−ＮＨ２、
Ｈ−ｄｅｓＡｓｐ２８Ｐｒｏ３６，Ｐｒｏ３７，Ｐｒｏ３８［Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６［Ｍｅｔ（Ｏ）１４，Ａｓｐ２８］エキセンジン−４（１−３９）−Ｌｙｓ６−ＮＨ２、
ｄｅｓＭｅｔ（Ｏ）１４，Ａｓｐ２８Ｐｒｏ３６，Ｐｒｏ３７，Ｐｒｏ３８エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２；
ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ａｓｎ−（Ｇｌｕ）５ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ｌｙｓ６−ｄｅｓＰｒｏ３６［Ｍｅｔ（Ｏ）１４，Ｔｒｐ（Ｏ２）２５，Ａｓｐ２８］エキセンジン−４（１−３９）−Ｌｙｓ６−ＮＨ２、
Ｈ−ｄｅｓＡｓｐ２８，Ｐｒｏ３６，Ｐｒｏ３７，Ｐｒｏ３８［Ｍｅｔ（Ｏ）１４，Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（Ｓ１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２；
または前述のいずれか１つのエキセンジン−４誘導体の薬学的に許容される塩もしくは溶媒和化合物
から選択される。
【００３１】
ホルモンは、たとえば、ゴナドトロピン（フォリトロピン、ルトロピン、コリオンゴナドトロピン、メノトロピン）、ソマトロピン（ソマトロピン）、デスモプレシン、テルリプレシン、ゴナドレリン、トリプトレリン、ロイプロレリン、ブセレリン、ナファレリン、ゴセレリンなどの、Ｒｏｔｅ  Ｌｉｓｔｅ、２００８年版、５０章に列挙されている脳下垂体ホルモンまたは視床下部ホルモンまたは調節性活性ペプチドおよびそれらのアンタゴニストである。
【００３２】
多糖類としては、たとえば、グルコサミノグリカン、ヒアルロン酸、ヘパリン、低分子量ヘパリン、もしくは超低分子量ヘパリン、またはそれらの誘導体、または上述の多糖類の硫酸化形態、たとえば、ポリ硫酸化形態、および／または、薬学的に許容されるそれらの塩がある。ポリ硫酸化低分子量ヘパリンの薬学的に許容される塩の例としては、エノキサパリンナトリウムがある。
【００３３】
抗体は、基本構造を共有する免疫グロブリンとしても知られている球状血漿タンパク質（約１５０ｋＤａ）である。これらは、アミノ酸残基に付加された糖鎖を有するので、糖タンパク質である。各抗体の基本的な機能単位は免疫グロブリン（Ｉｇ）単量体（１つのＩｇ単位のみを含む）であり、分泌型抗体はまた、ＩｇＡなどの２つのＩｇ単位を有する二量体、硬骨魚のＩｇＭのような４つのＩｇ単位を有する四量体、または哺乳動物のＩｇＭのように５つのＩｇ単位を有する五量体でもあり得る。
【００３４】
Ｉｇ単量体は、４つのポリペプチド鎖、すなわち、システイン残基間のジスルフィド結合によって結合された２つの同一の重鎖および２本の同一の軽鎖から構成される「Ｙ」字型の分子である。それぞれの重鎖は約４４０アミノ酸長であり、それぞれの軽鎖は約２２０アミノ酸長である。重鎖および軽鎖はそれぞれ、これらの折り畳み構造を安定化させる鎖内ジスルフィド結合を含む。それぞれの鎖は、Ｉｇドメインと呼ばれる構造ドメインから構成される。これらのドメインは約７０〜１１０個のアミノ酸を含み、そのサイズおよび機能に基づいて異なるカテゴリー（たとえば、可変すなわちＶ、および定常すなわちＣ）に分類される。これらは、２つのβシートが、保存されたシステインと他の荷電アミノ酸との間の相互作用によって一緒に保持される「サンドイッチ」形状を作り出す特徴的な免疫グロブリン折り畳み構造を有する。
【００３５】
α、δ、ε、γおよびμで表される５種類の哺乳類Ｉｇ重鎖が存在する。存在する重鎖の種類により抗体のアイソタイプが定義され、これらの鎖はそれぞれ、ＩｇＡ、ＩｇＤ、ＩｇＥ、ＩｇＧおよびＩｇＭ抗体中に見出される。
【００３６】
異なる重鎖はサイズおよび組成が異なり、αおよびγは約４５０個のアミノ酸を含み、δは約５００個のアミノ酸を含み、μおよびεは約５５０個のアミノ酸を有する。各重鎖は、２つの領域、すなわち定常領域（ＣＨ）と可変領域（ＶＨ）を有する。１つの種において、定常領域は、同じアイソタイプのすべての抗体で本質的に同一であるが、異なるアイソタイプの抗体では異なる。重鎖γ、α、およびδは、３つのタンデム型のＩｇドメインと、可撓性を加えるためのヒンジ領域とから構成される定常領域を有し、重鎖μおよびεは、４つの免疫グロブリン・ドメインから構成される定常領域を有する。重鎖の可変領域は、異なるＢ細胞によって産生された抗体では異なるが、単一Ｂ細胞またはＢ細胞クローンによって産生された抗体すべてについては同じである。各重鎖の可変領域は、約１１０アミノ酸長であり、単一のＩｇドメインから構成される。
【００３７】
哺乳類では、λおよびκで表される２種類の免疫グロブリン軽鎖がある。軽鎖は２つの連続するドメイン、すなわち１つの定常ドメイン（ＣＬ）および１つの可変ドメイン（ＶＬ）を有する。軽鎖のおおよその長さは、２１１〜２１７個のアミノ酸である。各抗体は、常に同一である２本の軽鎖を有し、哺乳類の各抗体につき、軽鎖κまたはλの１つのタイプのみが存在する。
【００３８】
すべての抗体の一般的な構造は非常に類似しているが、所与の抗体の固有の特性は、上記で詳述したように、可変（Ｖ）領域によって決定される。より具体的には、各軽鎖（ＶＬ）について３つおよび重鎖（ＨＶ）に３つの可変ループが、抗原との結合、すなわちその抗原特異性に関与する。これらのループは、相補性決定領域（ＣＤＲ）と呼ばれる。ＶＨドメインおよびＶＬドメインの両方からのＣＤＲが抗原結合部位に寄与するので、最終的な抗原特異性を決定するのは重鎖と軽鎖の組合せであり、どちらか単独ではない。
【００３９】
「抗体フラグメント」は、上記で定義した少なくとも１つの抗原結合フラグメントを含み、そのフラグメントが由来する完全抗体と本質的に同じ機能および特異性を示す。パパインによる限定的なタンパク質消化は、Ｉｇプロトタイプを３つのフラグメントに切断する。１つの完全なＬ鎖および約半分のＨ鎖をそれぞれが含む２つの同一のアミノ末端フラグメントが、抗原結合フラグメント（Ｆａｂ）である。サイズが同等であるが、鎖間ジスルフィド結合を有する両方の重鎖の半分の位置でカルボキシル末端を含む第３のフラグメントは、結晶可能なフラグメント（Ｆｃ）である。Ｆｃは、炭水化物、相補結合部位、およびＦｃＲ結合部位を含む。限定的なペプシン消化により、Ｆａｂ片とＨ−Ｈ鎖間ジスルフィド結合を含むヒンジ領域の両方を含む単一のＦ（ａｂ’）２フラグメントが得られる。Ｆ（ａｂ’）２は、抗原結合に対して二価である。Ｆ（ａｂ’）２のジスルフィド結合は、Ｆａｂ’を得るために切断することができる。さらに、重鎖および軽鎖の可変領域は、縮合して単鎖可変フラグメント（ｓｃＦｖ）を形成することもできる。
【００４０】
薬学的に許容される塩は、たとえば、酸付加塩および塩基性塩である。酸付加塩としては、たとえば、ＨＣｌまたはＨＢｒ塩がある。塩基性塩は、たとえば、アルカリまたはアルカリ土類、たとえば、Ｎａ＋、またはＫ＋、またはＣａ２＋から選択されるカチオン、または、アンモニウムイオンＮ＋（Ｒ１）（Ｒ２）（Ｒ３）（Ｒ４）（式中、Ｒ１〜Ｒ４は互いに独立に：水素、場合により置換されたＣ１〜Ｃ６アルキル基、場合により置換されたＣ２〜Ｃ６アルケニル基、場合により置換されたＣ６〜Ｃ１０アリール基、または場合により置換されたＣ６〜Ｃ１０ヘテロアリール基を意味する）を有する塩である。薬学的に許容される塩のさらなる例は、「Ｒｅｍｉｎｇｔｏｎ’ｓ  Ｐｈａｒｍａｃｅｕｔｉｃａｌ  Ｓｃｉｅｎｃｅｓ」１７版、Ａｌｆｏｎｓｏ  Ｒ．Ｇｅｎｎａｒｏ（編）、Ｍａｒｋ  Ｐｕｂｌｉｓｈｉｎｇ  Ｃｏｍｐａｎｙ、Ｅａｓｔｏｎ、Ｐａ．、Ｕ．Ｓ．Ａ．、１９８５およびＥｎｃｙｃｌｏｐｅｄｉａ  ｏｆ  Ｐｈａｒｍａｃｅｕｔｉｃａｌ  Ｔｅｃｈｎｏｌｏｇｙに記載されている。
【００４１】
薬学的に許容される溶媒和物は、たとえば、水和物である。
【００４２】
本発明の適用性のさらなる範囲は、本明細書の以下に示される詳細な説明から明らかになろう。しかし、当業者にはこの詳細な説明から本発明の精神および範囲内で様々な変形および改変が明らかであるので、詳細な説明および具体的な例は、本発明の好ましい実施態様を示すが、例示としてのみ示されると理解されたい。
【００４３】
本発明は、例示としてのみ示されしたがって本発明を限定するものではない、本明細書の以下に示される詳細な説明および添付の図面から、より十分に理解されよう。
【図面の簡単な説明】
【００４４】
【図１】薬物送達デバイスの概略図である。
【図２】薬物送達デバイスの一実施形態の概略図である。
【図３】薬物送達デバイスの他の実施形態の概略図である。
【図４】薬物送達デバイスのさらに他の実施形態の概略図である。
【図５】薬物送達デバイスのさらに他の実施形態の概略図である。
【発明を実施するための形態】
【００４５】
すべての図面において、対応する部品には同じ参照記号が付いている。
【００４６】
図１は、薬物送達デバイス１の概略図である。薬物送達デバイス１は、ユーザインターフェースを含む制御ユニット２と、電気浸透アクタ３と、加圧液体を含む加圧媒体容器４と、薬物を含む薬物容器５と、注射針またはジェットノズルとして配置された放出ノズル６とを備える。加圧媒体容器４は、電気浸透アクタ３を介して薬物容器５と流体連通する。放出ノズル６は、薬物容器５内の薬物と流体連通する。
【００４７】
たとえば使用者操作によって生じた要求信号ＲＳを受けたとき、制御ユニット２は、直流電圧ＶＤＣを電気浸透アクタ３に印加し、それによって加圧液体中に圧力勾配が生じて加圧液体が加圧媒体容器４から薬物容器５内へとポンプ輸送されるようになる。電気浸透アクタ３の一代替実施形態では、制御ユニット２は、交流電圧、または交流電圧と直流電圧を混合したものを印加する。したがって、特に加圧液体として水を使用する場合、加圧液体の電気分解が防止され得る。薬物容器５は、可撓性の膜７を備える。可撓性の膜７は、加圧液体から薬物を分離するが、加圧液体から薬物に圧力を伝えることができる。したがって、液体薬物は、放出ノズル６を通って患者へと送達される。制御ユニット２は、電気浸透アクタ３を制御しそれに電圧を加える役目を果たす。加圧液体は、たとえば、水、具体的には蒸留水、またはアルコールなどの少なくとも１つの液体炭化水素である、水溶液であってよい。
【００４８】
また、制御ユニット２と電気浸透アクタ３の間の電気接続は、たとえば電気浸透アクタ３と共に配置され得るセンサのデータを処理するように、制御ユニット２へのフィードバックを可能にするように構成され、したがって用量および／または流量が閉ループ制御され得るようになる。
【００４９】
電気浸透アクタ３は、少なくとも１本の毛細管を含むソリッドステート本体を備え、毛細管中の加圧液体の表面に本質的に平行に電場がかかるように配置される。
【００５０】
図２は、再利用可能なモジュール１．１が、制御ユニット２と、電気浸透アクタ３と、加圧媒体容器４とを備え、一方、薬物容器５および放出ノズル６は使い捨てである、薬物送達デバイス１の一実施形態の概略図である。
【００５１】
図３は、再利用可能なモジュール１．１が、制御ユニット２と、電気浸透アクタ３とを備え、一方、加圧媒体容器４、薬物容器５および放出ノズル６は使い捨てである、薬物送達デバイス１の一実施形態の概略図である。
【００５２】
図４は、再利用可能なモジュール１．１が制御ユニット２を備え、一方、電気浸透アクタ３、加圧媒体容器４、薬物容器５および放出ノズル６は使い捨てである、薬物送達デバイス１の一実施形態の概略図である。電気浸透アクタ３は、加圧媒体容器４内に電気浸透ポンプ膜として配置される。加圧媒体容器４および薬物容器５は、共通の容器４、５内において可撓性の膜７によって分離されるコンパートメントとして配置される。
【００５３】
電気浸透アクタ３は、横断する細孔を含む膜を備え、細孔内の加圧液体の表面に本質的に平行に電場がかかるように配置される。
【００５４】
図５は、再利用可能なモジュール１．１が、制御ユニット２と、電気浸透アクタ３と、加圧媒体容器４とを備え、一方、薬物容器５および放出ノズル６は使い捨てである、薬物送達デバイス１の一実施形態の概略図である。この場合、電気浸透アクタ３は、加圧媒体容器４内に電気浸透ポンプ膜として配置される。
【符号の説明】
【００５５】
１  薬物送達デバイス
１．１  再利用可能モジュール
２  制御ユニット
３  電気浸透アクタ
４  加圧媒体容器
５  薬物容器
６  放出ノズル
７  可撓性の膜
ＲＳ  要求信号
ＶＤＣ  直流電圧
【図１】
0006285426.tif 000002
【図２】
0006285426.tif 000003
【図３】
0006285426.tif 000004
【図４】
0006285426.tif 000005
【図５】
0006285426.tif 000006